(57)【要約】  【課題】  放射線科情報管理システム等のオーダリング装置から検査開始要求を受けて医用画像撮影装置を制御する医用画像撮影制御装置において、ビジー状態においても検査開始要求信号を受け付けることができるようにする。  【解決手段】  この医用画像撮影制御装置は、ビジー状態において検査開始要求信号が入力された場合に、該検査開始要求信号に対応する検査を予約するために該検査開始要求信号を格納する格納手段１１２と、ビジー状態が解除された場合に、オペレータの操作に従って、格納手段に格納されている検査開始要求信号に対応する検査を開始するように医用画像撮影装置を制御する制御手段１１１とを具備する。【選択図】  図２
2005080693.tif 000002
【特許請求の範囲】
【請求項１】
診断目的の撮影を行う医用画像撮影装置を制御する医用画像撮影制御装置であって、
ビジー状態において検査開始要求信号が入力された場合に、該検査開始要求信号に対応する検査を予約するために該検査開始要求信号を格納する格納手段と、
ビジー状態が解除された場合に、オペレータの操作に従って、前記格納手段に格納されている検査開始要求信号に対応する検査を開始するように前記医用画像撮影装置を制御する制御手段と、
を具備する医用画像撮影制御装置。
【請求項２】
前記制御手段が、前記格納手段に格納されている検査開始要求信号が複数ある場合に、検査開始要求信号が格納された順番に基づいて検査を開始するように前記医用画像撮影装置を制御する、請求項１記載の医用画像撮影制御装置。
【請求項３】
診断目的の撮影を行う医用画像撮影装置を制御する医用画像撮影制御装置であって、
ビジー状態において検査開始要求信号が入力された場合に、該検査開始要求信号に対応する検査を予約するために該検査開始要求信号を格納する格納手段と、
画像を表示する表示手段と、
ビジー状態が解除された場合に、前記格納手段に格納されている検査開始要求信号に対応する検査に関する情報を前記表示手段に表示させ、その中からオペレータによって選択された検査を開始するように前記医用画像撮影装置を制御する制御手段と、
を具備する医用画像撮影制御装置。
【請求項４】
前記制御手段が、前記格納手段に格納されている検査開始要求信号に対応する検査に関する情報を検索するために用いられる例示問い合わせ欄を前記表示手段に表示させる、請求項３記載の医用画像撮影制御装置。
【請求項５】
診断目的の撮影を行う医用画像撮影装置を制御する医用画像撮影制御装置における医用画像撮影制御方法であって、
ビジー状態において検査開始要求信号が入力された場合に、該検査開始要求信号に対応する検査を予約するために該検査開始要求信号を格納手段に格納するステップ（ａ）と、
ビジー状態が解除された場合に、オペレータの操作に従って、前記格納手段に格納されている検査開始要求信号に対応する検査を開始するように前記医用画像撮影装置を制御するステップ（ｂ）と、
を具備する医用画像撮影制御方法。
【請求項６】
ステップ（ｂ）が、前記格納手段に格納されている検査開始要求信号が複数ある場合に、検査開始要求信号が格納された順番に基づいて検査を開始することを含む、請求項５記載の医用画像撮影制御方法。
【請求項７】
診断目的の撮影を行う医用画像撮影装置を制御する医用画像撮影制御装置における医用画像撮影制御方法であって、
ビジー状態において検査開始要求信号が入力された場合に、該検査開始要求信号に対応する検査を予約するために該検査開始要求信号を格納手段に格納するステップ（ａ）と、
ビジー状態が解除された場合に、前記格納手段に格納されている検査開始要求信号に対応する検査に関する情報を表示手段に表示させるステップ（ｂ）と、
その中からオペレータによって選択された検査を開始するように前記医用画像撮影装置を制御するステップ（ｃ）と、
を具備する医用画像撮影制御方法。
【請求項８】
ステップ（ｂ）が、前記格納手段に格納されている検査開始要求信号に対応する検査に関する情報を検索するために用いられる例示問い合わせ欄を前記表示手段に表示させることを含む、請求項７記載の医用画像撮影制御方法。
【請求項９】
前記格納手段に格納されている検査開始要求信号に対応する検査に関する情報をモバイル端末に入力して保存するステップと、
前記モバイル端末に保存されている検査開始要求信号に対応する検査を開始するように、前記モバイル端末からいずれかの医用画像撮影装置を制御するステップと、
をさらに具備する請求項５〜８のいずれか１項記載の医用画像撮影制御方法。
【発明の詳細な説明】
【技術分野】
【０００１】
本発明は、放射線撮影等の診断目的の撮影に際し、放射線科情報管理システム等のオーダリング装置から検査開始要求を受けて医用画像撮影装置を制御する医用画像撮影制御装置に関し、特に、患者情報等を入力したり、画像読取装置において記録シートに撮影された医用画像を読み取ることによって得られた画像データを受信して出力装置に配送したりするために用いられる医用画像撮影制御装置に関する。さらに、本発明は、そのような医用画像撮影制御装置において用いられる医用画像撮影制御方法に関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、Ｘ線ＣＴや超音波、ＭＲＩ等の様々なディジタル化された装置が実用化されており、病院内での診断情報処理システム等の構築が進められようとしている。Ｘ線画像についてもディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、画像撮影装置を用いて、輝尽性蛍光体を塗布したシートに人体等の被写体の放射線画像を撮影記録し、画像読取装置を用いて、この輝尽性蛍光体シートをレーザ光等の励起光で走査すると輝尽発光光が生じるので、この光を光電的に読み取ることにより画像データを得るものである。さらに、画像処理装置を用いて、この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
近年においては、検査の進行状況等の業務を管理する病院情報管理システム（hospital information system：ＨＩＳ）や放射線科情報管理システム（radiology information system：ＲＩＳ）等が用いられており、このようなシステムにネットワークを介して接続された医用画像撮影制御装置を用いて、放射線撮影装置等の医用画像撮影装置による撮影が制御されることがある。具体的には、検査の開始を要求する検査開始要求信号が、ＲＩＳ等のオーダリング装置からネットワークを介して医用画像撮影制御装置に入力され、医用画像撮影制御装置がＸ線照射量等の撮影条件を設定することにより、医用画像撮影装置において撮影が行われる。
【０００６】
しかしながら、医用画像撮影装置又は医用画像撮影制御装置が何らかの処理を行っているビジー状態においては、医用画像撮影制御装置は検査開始要求信号を受け付けないので、そのような場合に検査を開始させるためには、画像撮影制御装置のビジー状態が解除されている時に、オーダリング装置が検査開始要求信号を再送する必要があるという問題があった。
【０００７】
関連する技術として、下記の特許文献１には、待機モードを適切に解除できる放射線撮影装置について述べられている。この放射線撮影装置によれば、待機モードが設定された放射線撮影装置において、ネットワークを介してサーバから撮影オーダが入力された場合に、サブＣＰＵが応動し、待機モードを解除して撮影準備を開始することができる。しかしながら、放射線撮影装置がビジー状態である時に撮影オーダが入力される場合については述べられていない。
【特許文献１】特開２００２−２７２７２０号公報（第１，３頁、図１）
【発明の開示】
【発明が解決しようとする課題】
【０００８】
そこで、上記の点に鑑み、本発明は、放射線科情報管理システム等のオーダリング装置から検査開始要求を受けて医用画像撮影装置を制御する医用画像撮影制御装置において、ビジー状態においても検査開始要求信号を受け付けることができるようにすることを目的とする。
【課題を解決するための手段】
【０００９】
上記の課題を解決するため、本発明の第１の観点に係る医用画像撮影制御装置は、診断目的の撮影を行う医用画像撮影装置を制御する医用画像撮影制御装置であって、ビジー状態において検査開始要求信号が入力された場合に、該検査開始要求信号に対応する検査を予約するために該検査開始要求信号を格納する格納手段と、ビジー状態が解除された場合に、オペレータの操作に従って、格納手段に格納されている検査開始要求信号に対応する検査を開始するように医用画像撮影装置を制御する制御手段とを具備する。
【００１０】
本発明の第２の観点に係る医用画像撮影制御装置は、診断目的の撮影を行う医用画像撮影装置を制御する医用画像撮影制御装置であって、ビジー状態において検査開始要求信号が入力された場合に、該検査開始要求信号に対応する検査を予約するために該検査開始要求信号を格納する格納手段と、画像を表示する表示手段と、ビジー状態が解除された場合に、格納手段に格納されている検査開始要求信号に対応する検査に関する情報を表示手段に表示させ、その中からオペレータによって選択された検査を開始するように医用画像撮影装置を制御する制御手段とを具備する。
【００１１】
また、本発明の第１の観点に係る医用画像撮影制御方法は、診断目的の撮影を行う医用画像撮影装置を制御する医用画像撮影制御装置における医用画像撮影制御方法であって、ビジー状態において検査開始要求信号が入力された場合に、該検査開始要求信号に対応する検査を予約するために該検査開始要求信号を格納手段に格納するステップ（ａ）と、ビジー状態が解除された場合に、オペレータの操作に従って、格納手段に格納されている検査開始要求信号に対応する検査を開始するように医用画像撮影装置を制御するステップ（ｂ）とを具備する。
【００１２】
本発明の第２の観点に係る医用画像撮影制御方法は、診断目的の撮影を行う医用画像撮影装置を制御する医用画像撮影制御装置における医用画像撮影制御方法であって、ビジー状態において検査開始要求信号が入力された場合に、該検査開始要求信号に対応する検査を予約するために該検査開始要求信号を格納手段に格納するステップ（ａ）と、ビジー状態が解除された場合に、格納手段に格納されている検査開始要求信号に対応する検査に関する情報を表示手段に表示させるステップ（ｂ）と、その中からオペレータによって選択された検査を開始するように医用画像撮影装置を制御するステップ（ｃ）とを具備する。
【発明の効果】
【００１３】
本発明によれば、ビジー状態において検査開始要求信号が入力された場合に、該検査開始要求信号に対応する検査を予約するために該検査開始要求信号を格納手段に格納し、ビジー状態が解除された場合に、格納手段に格納されている検査開始要求信号に対応する検査を開始するように医用画像撮影装置を制御するので、ビジー状態においても検査開始要求信号を受け付けることができる。
【発明を実施するための最良の形態】
【００１４】
以下、本発明を実施するための最良の形態について、図面を参照しながら詳しく説明する。なお、同一の構成要素には同一の参照番号を付して、説明を省略する。
図１は、本発明の一実施形態に係る医用画像撮影制御装置を含む医用画像撮影システムの構成を示すブロック図である。図１に示すように、放射線科においては、被検者に放射線を照射して撮影を行うことにより記録シート（輝尽性蛍光体シート）１に放射線画像を記録する医用画像撮影装置１０と、医用画像撮影装置１０を制御する医用画像撮影制御装置２０とが接続されており、さらに、記録シート１に記録されている放射線画像等の情報を光電的に読み取って画像データを生成する医用画像読取装置３０が、ネットワークを介して医用画像撮影制御装置２０に接続されている。
【００１５】
医用画像撮影制御装置２０は、医用画像撮影装置１０を制御するコンソールであり、さらに、患者情報を入力したり、医用画像読取装置３０から画像データ及び画像付帯情報を入力して各種の処理を施したり、アーカイブ４０等の記録装置やプリンタ５０等の出力装置に画像データ等を配送するためにも用いられる。
【００１６】
さらに、放射線科においては、医用画像撮影制御装置２０において処理が施された画像データ及び画像付帯情報を記録するアーカイブ４０と、医用画像をフィルム等に印刷するプリンタ５０と、放射線撮影に関する様々な業務の遂行を管理するＲＩＳ６０と、受付端末７０が、ネットワークを介して医用画像撮影制御装置２０に接続されている。また、ＲＩＳ６０は、病院全体の業務を管理するＨＩＳ８０や、病院の受付端末９０に、ネットワークを介して接続されている。
【００１７】
放射線撮影に用いられる記録シート１は、輝尽性蛍光体物質を塗布したものであり、放射線が照射されることにより被写体の情報が記録される。所定の撮影条件の下で被検者の放射線撮影が行われ、その放射線画像が記録シート１に記録される。
【００１８】
医用画像撮影装置１０は、医用画像撮影装置１０の所定の位置にセットされた記録シート１の位置を上下に移動させて微調整することにより被検者における撮影位置を昇降させる撮影位置昇降機構１１と、被検者の足の位置を決める撮影台１２と、被検者に放射線を照射する放射線発生部１３と、医用画像撮影制御装置２０から制御するための信号が入力されるインタフェース１４とを含んでいる。
【００１９】
医用画像撮影制御装置２０は、各種の命令等を入力するために用いられる入力部２１と、記録シート１を格納するカセッテに付されたバーコードを読み取るバーコードリーダ２２と、入力された検査開始要求信号に対応する検査や放射線画像等を表示する表示部２３と、処理部１１０とを含んでいる。処理部１１０は、入力された検査開始要求信号に基づいて医用画像撮影装置１０を制御する。なお、記録シート１を医用画像撮影装置１０の所定の位置にセットする前に、バーコードリーダ２２を用いて、記録シート１を格納するカセッテに付されたバーコードを読み取る。
【００２０】
撮影後、医用画像読取装置３０の所定の位置にセットされた記録シート１は、レーザ光源３１から出射し、光走査部３２を通った光ビームによって、表面を走査される。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）３３により光電的に検出され、アナログ信号として出力されて増幅器３４により増幅され、Ａ／Ｄ変換器３５によりディジタル化される。また、記録シート１を格納するカセッテに付されたバーコードが、バーコードリーダ３６により読み取られ、読み取られたバーコード情報は、患者情報及び検査情報に対応する画像付帯情報として使用される。このようにして生成された画像データと画像付帯情報とが、出力部３７からネットワークを介して医用画像撮影制御装置２０に送信される。
【００２１】
また、医用画像撮影制御装置２０の処理部１１０は、医用画像読取装置３０から送信された画像データ及び画像付帯情報を受信して処理し、他の装置に配送する。アーカイブ４０は、医用画像撮影制御装置２０から配送された画像データ及び画像付帯情報を記録する。また、プリンタ５０は、医用画像撮影制御装置２０から配送された画像データに基づいて、医用画像をフィルム等に印刷する。
【００２２】
ＲＩＳ６０は、検査を開始させるために、医用画像撮影制御装置２０に対して、検査開始要求信号、患者情報、及び、検査情報を出力することにより、オーダリング装置として機能する。同様に、ＨＩＳ８０も、電子カルテＤＢ（data base：データベース）８１に基づいて、オーダリング装置として機能することが可能である。また、専用に開発されたアプリケーションプログラムによって動作するオーダリング装置を別途設けるようにしても良い。
【００２３】
受付端末９０は、病院の受付において、被検者である患者の氏名や患者ＩＤ等の患者情報を入力するために用いられ、また、予め放射線撮影を行うことが分かっている場合には、撮影部位等を表す撮影メニュー、検査番号及び検査日等の検査情報を入力するために用いられる。なお、患者情報及び検査情報は、医用画像撮影制御装置２０の入力部２１、又は、放射線科の受付端末７０を用いて入力するようにしても良い。電子カルテＤＢ８１には、受付端末７０又は９０等を用いて入力された患者情報及び検査情報等が登録されている。
【００２４】
図２は、図１に示す医用画像撮影制御装置の詳細な構成を示すブロック図である。処理部１１０は、中央演算装置（以下、ＣＰＵという）１１１と、入力された画像データや検査開始要求信号等を一時的に記憶するメモリ１１２と、記録媒体としてのハードディスク１１３と、ハードディスク制御部１１４と、ネットワークインタフェース１１５と、インタフェース１１６及び１１７とを含んでいる。これら各部１１１〜１１５は、バスラインを介して相互に接続されている。
【００２５】
メモリ１１２は、バーコードリーダ２２を用いて読み取られたバーコード情報や、医用画像読取装置３０から受信された画像データ及び画像付帯情報を一時的に記憶する。さらに、本実施形態においては、医用画像撮影制御装置２０がビジー状態であるときにオーダリング装置から受信された検査開始要求信号、患者情報、及び、検査情報を、メモリ１１２に記憶させることにより、その検査開始要求信号に対応する検査を予約できるようにしている。
【００２６】
ＣＰＵ１１１は、インタフェース１１６を介して、キーボードやマウス等の入力部２１や、ＣＲＴディスプレイ等の表示部２３に接続されており、また、インタフェース１１７を介して、医用画像撮影装置１０に接続されている。さらに、ＣＰＵ１１１は、ネットワークインタフェース１１５を介して、医用画像読取装置３０、アーカイブ４０、プリンタ５０、ＲＩＳ６０、受付端末７０に接続されている。
【００２７】
ハードディスク１１３には、ＣＰＵ１１１に動作を行わせるためのソフトウェア（プログラム）が記録されている。なお、記録媒体としては、内蔵のハードディスク１１３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２８】
次に、ＣＰＵ１１１とソフトウェア（プログラム）とによって構成される機能ブロック１１１ａ〜１１１ｄについて説明する。
検査開始要求信号処理部１１１ａは、ビジー状態が解除された場合に、メモリ１１２に記憶されている検査開始要求信号に基づいて、検査開始要求信号に対応する患者情報及び検査情報をメモリ１１２から読み出して出力する。なお、検査開始要求信号に対応する患者情報及び検査情報は、検査開始要求信号と共に、オーダリング装置から入力される。検査開始要求信号処理部１１１ａから出力された患者情報及び検査情報は、出力部１１１ｄからインタフェース１１６を介して表示部２３に供給され、表示部２３において、検査開始要求が発行された検査を表す検査情報が表示される。
【００２９】
表示部２３において表示された検査情報を確認したオペレータによって、検査開始命令が入力部２１を介して入力されると、撮影制御部１１１ｂは、その検査に対応する患者情報及び検査情報とに基づいて、その検査を開始するように、インタフェース１１７を介して医用画像撮影装置１０を制御する。ここで、メモリ１１２は、撮影制御部１１１ｂの制御により、開始される検査に関する患者情報及び検査情報と、撮影に用いられる記録シートを格納するカセッテに付されたバーコードをバーコードリーダ２２によって読み取ることによって生成されたバーコード情報とを、互いに対応させて記憶する。
【００３０】
画像処理部１１１ｃは、医用画像読取装置３０から受信された画像データに、必要な画像処理を施す。必要な画像処理が施された画像データは、出力部１１１ｄから、インタフェース１１６を介して表示部２３に供給されて、表示部２３において画像が表示され、その画像がオペレータによって確認される。また、必要な画像処理が施された画像データは、メモリ１１２に記憶されると共に、オペレータの指示に従って、ハードディスク制御部１１４を介してハードディスク１１３に記録されたり、ネットワークインタフェース１１５を介してアーカイブ４０等に配送される。
【００３１】
なお、本実施形態においては、検査開始要求信号処理部１１１ａ、撮影制御部１１１ｂ、画像処理部１１１ｃ、及び、出力部１１１ｄを、ＣＰＵとソフトウェアで構成したが、ディジタル回路やアナログ回路で構成しても良い。
【００３２】
次に、本実施形態に係る医用画像撮影制御装置を含む医用画像撮影システムの動作について、図１〜図３を参照しながら説明する。図３は、この医用画像撮影システムの動作を示すフローチャートである。
【００３３】
まず、ステップＳ１において、オペレータが、患者情報及び検査情報等を入力する。次に、ステップＳ２において、オーダリング装置が、検査開始要求信号、患者情報、及び、検査情報を、医用画像撮影制御装置２０に出力する。ステップＳ３において、医用画像撮影制御装置２０のメモリ１１２が、入力された検査開始要求信号、患者情報、及び、検査情報を記憶する。
【００３４】
ステップＳ４において、検査開始要求信号処理部１１１ａが、メモリ１１２に記憶されている検査開始要求信号に基づいて、患者情報及び検査情報を、出力部１１１ｄ及びインタフェース１１６を介して表示部２３に出力する。ステップＳ５において、表示部２３が、検査開始要求が発行された検査を表す検査情報を表示する。
【００３５】
ここで、ＣＰＵ１１１が何も処理を行っていないアイドル状態のときには、検査開始要求信号処理部１１１ａは、検査開始要求信号がメモリ１１２に記憶されると直ちに、その検査開始要求信号に対応する患者情報及び検査情報を出力することにより、その検査開始要求信号に対応する検査を開始するように医用画像撮影装置１０を制御する。
【００３６】
一方、ＣＰＵ１１１が何らかの処理を行っているビジー状態のときには、検査開始要求信号処理部１１１ａは、その処理が終了してビジー状態が解除されたときに、検査開始要求信号に対応する患者情報及び検査情報を出力することにより、その検査開始要求信号に対応する検査を開始するように医用画像撮影装置１０を制御する。ここで、ビジー状態が解除された場合に、オペレータの操作に従って、メモリ１１２に記憶されている検査開始要求信号に対応する検査を開始するようにしても良い。あるいは、医用画像撮影制御装置２０がビジー状態であっても、オーダリング装置から検査の開始を催促することにより、検査を開始させることができる。
【００３７】
ここで、複数の検査開始要求信号が記憶されている場合に、検査開始要求信号処理部１１１ａは、記憶された順番が早い検査開始要求信号に対応する患者情報及び検査情報を先に出力する。あるいは、複数の検査開始要求信号が記憶されている場合に、複数の検査開始要求信号に対応する患者情報及び検査情報を出力することにより予約検査一覧画面を表示部２３に表示させ、オペレータが、入力部２１を用いて、予約検査の内のいずれかの検査を選択するようにしても良い。
【００３８】
図４は、表示部２３に表示される予約検査一覧画面を示す図である。図４に示すように、表示部２３には、メモリ１１２に記憶されている検査開始要求信号に対応する検査の一覧画面２００が表示され、一覧画面の右上には、撮影を開始するための実行ボタン２０１が配置され、一覧画面の右下には、この画面を閉じるためのクローズボタン２０２が配置される。
【００３９】
再び図３を参照すると、ステップＳ６において、オペレータは、入力部２１を用いて、検査開始命令を入力する。ここで、図４を参照しながら、検査開始命令を入力する方法について説明する。まず、オペレータは、図４の検査の一覧画面２００において太線で囲んだＱＢＥ（query by example：例示問い合わせ）ボックス２０３のいずれかの項目に検査を絞り込むための情報を入力し、その情報に基づいてメモリ１１２に記憶されている検査開始要求信号に対応する検査を検索する。
【００４０】
例えば、図４に示すように、「患者氏名」項目に苗字が富士であることを表す「富士＊」という情報を入力し、「性別」項目に性別が男であることを表す「Ｍ」という情報を入力することにより、ＱＢＥボックス２０３に入力された情報に基づいて検索された検査が表示される。なお、表示される内容は、患者ＩＤ、患者氏名、性別及び生年月日等の患者情報の他に、撮影部位等の検査情報を表示することにより、オペレータが選択する検査を検索しやすいようにしても良い。
【００４１】
このような方法で検索された検査の内のいずれか１つが、オペレータによって入力部２１を用いて選択され、さらに、実行ボタン２０１を押下することにより、検査開始命令が撮影制御部１１１ｂに入力されて検査が開始される。なお、ＱＢＥボックス２０３を用いて検索した検査が１つの場合には、その検査を選択せずに実行ボタン２０１を押下することによっても撮影が開始され、その際に、ＱＢＥボックス２０３内の情報が消去される。
【００４２】
再び図３を参照すると、ステップＳ７において、撮影制御部１１１ｂの制御の下で、オペレータによって検査開始命令が入力された検査に関する患者情報及び検査情報に基づいて、医用画像撮影装置１０が、被検者に放射線を照射することにより放射線画像を撮影し、記録シートに放射線画像を記録する。撮影制御部１１１ｂは、メモリ１１２に記憶されている検査開始要求信号の中から、検査開始命令が入力された検査に関する検査開始要求信号を削除すると共に、撮影に用いられる記録シートを格納するカセッテに付されたバーコードを読み取ることによって生成されたバーコード情報と検査開始命令が入力された検査に関する患者情報及び検査情報とを対応させて記憶する。さらに、撮影制御部１１１ｂは、検査開始要求信号を出力したオーダリング装置に、撮影が開始されたことを通知するようにしても良い。
【００４３】
ステップＳ８において、医用画像読取装置３０が、記録シート１に記録されている放射線画像を読み取ることにより画像データを生成し、生成した画像データをバーコード情報と共に、医用画像撮影制御装置２０に送信する。
【００４４】
ステップＳ９において、医用画像撮影制御装置２０のメモリ１１２が、医用画像読取装置３０から受信された画像データ及びバーコード情報を記憶する。ここで、メモリ１１２は、医用画像読取装置３０から受信したバーコード情報とバーコードリーダ２２によって生成されたバーコード情報とを一致させることにより、画像データと患者情報及び検査情報とを対応させ、患者情報及び検査情報を画像付帯情報として記憶する。
【００４５】
ステップＳ１０において、医用画像撮影制御装置２０の画像処理部１１１ｃが、メモリ１１２に記憶されている画像データに画像処理を施す。ステップＳ１１において、画像処理が施された画像データに基づいて、医用画像が表示部７２に表示され、オペレータに確認される。
【００４６】
ステップＳ１１において、オペレータが入力部２１を用いて画像データ等の配送を指示することにより、画像データ及び画像付帯情報が、アーカイブ４０又はプリンタ５０に配送される。
【００４７】
なお、本実施形態においては、検査開始要求信号がネットワークを介して医用画像撮影制御装置２０に入力される構成としているが、専用のプロトコルを用いて入力される構成としても良い。また、医用画像撮影制御装置２０がビジー状態であっても、撮影の優先度に基づいて、優先度の低い実行中の検査を強制的に終了又は保留にして、検査開始要求が発行されたことを表示部２３に表示することにより、優先度の高い検査を開始させるようにしても良い。
【００４８】
本実施形態によれば、医用画像撮影制御装置２０にビジー状態において検査開始要求信号等が入力された場合に、医用画像撮影制御装置２０のメモリ１１２が検査開始要求信号等を記憶することにより、オーダリング装置が検査開始要求信号等を再送する必要がなくなる。また、予約検査一覧画面を表示することにより、医用画像撮影制御装置２０においても検査の開始操作を行うことができ、さらに、ビジー状態が解除されたときに検査を開始することができるので、作業効率が向上する。
【００４９】
また、医用画像撮影制御装置２０がビジー状態であっても、オーダリング装置から検査の開始を催促することができ、また、検索結果が１つの場合には、ＱＢＥボックス２０３内の情報を消去することにより、オペレータが削除する必要がなくなるので、作業効率が向上する。
【００５０】
さらに、検査開始要求信号を出力したオーダリング装置に検査が開始されたことを通知することができるので、オーダリング装置を操作しているオペレータと医用画像撮影制御装置２０を操作するオペレータが同一の場合には、そのオペレータが、医用画像撮影制御装置２０と離れた場所にあるオーダリング装置を操作していても検査開始を確認できるので、作業効率が向上する。
【００５１】
次に、本発明の一実施形態に係る医用画像撮影制御装置を含む医用画像撮影システムの変形例について、図５及び図６を参照しながら説明する。図５に示す医用画像撮影システムは、図１に示す医用画像撮影システムの構成要素に加えて、ＰＤＡ（personal digital assistant：個人用情報端末）１２０等のモバイル端末と、第２の医用画像撮影装置１３０とをさらに有している。その他の構成要素については、図１に示す医用画像撮影システムと同様である。
【００５２】
この変形例においては、ＰＤＡ１２０を用いて、撮影条件等の情報を医用画像撮影制御装置２０から持ち出し、医用画像撮影制御装置２０とは異なる場所にある第２の医用画像撮影装置１３０を用いてポータブル撮影を行う。
【００５３】
まず、医用画像撮影制御装置２０とＰＤＡ１２０とを接続し、図６に示すように医用画像撮影制御装置２０の表示部に表示されているＰＤＡエクスポートボタン２０４を押下することにより、予約された検査の患者情報及び検査情報とＸ線照射線量等の撮影条件とをＰＤＡ１２０に出力し、ＰＤＡ１２０に記憶させる。
【００５４】
次に、オペレータは、第２の医用画像撮影装置１３０が設置されている場所までＰＤＡ１２０を運び、ＰＤＡ１２０と医用画像撮影装置１３０とを接続して、ＰＤＡ１２０に記憶されている患者情報及び検査情報と撮影条件とに基づいて、医用画像撮影装置１３０を制御する。
【００５５】
撮影が終わった後で、オペレータは、医用画像撮影制御装置２０が設置されている場所までＰＤＡ１２０を持ち帰り、医用画像撮影制御装置２０とＰＤＡ１２０とを接続し、ＰＤＡインポートボタン２０５を押下することにより、撮影が完了した検査に対応する検査開始要求信号等を削除する。
【００５６】
このように、患者情報及び検査情報と共にＸ線照射線量等の撮影条件を、ＰＤＡ１２０を用いて持ち出すことにより、ポータブル撮影を行う第２の医用画像撮影装置１３０にＰＤＡ１２０から撮影条件を設定することができるので、作業が向上する。
【産業上の利用可能性】
【００５７】
本発明は、放射線撮影等の診断目的の撮影に際し、放射線科情報管理システム等のオーダリング装置から検査開始要求を受けて医用画像撮影装置を制御する医用画像撮影制御装置に利用することが可能である。
【図面の簡単な説明】
【００５８】
【図１】本発明の一実施形態に係る医用画像撮影制御装置を含む医用画像撮影システムの構成を示すブロック図である。
【図２】図１に示す医用画像撮影制御装置の詳細な構成を示すブロック図である。
【図３】図１に示す医用画像撮影システムの動作を示すフローチャートである。
【図４】図１に示す表示部に表示される予約検査一覧画面を示す図である。
【図５】本発明の一実施形態に係る医用画像撮影制御装置を含む医用画像撮影システムの変形例を示すブロック図である。
【図６】図５に示す表示部に表示される予約検査一覧画面を示す図である。
【符号の説明】
【００５９】
１  記録シート（輝尽性蛍光体シート）
１０  医用画像撮影装置
１１  撮影位置昇降機構
１２  撮影台
１３  放射線発生部
１４  インタフェース
２０  医用画像撮影制御装置
２１  入力部
２２  バーコードリーダ
２３  表示部
３０  医用画像読取装置
３１  レーザ光源
３２  光走査部
３３  フォトマルチプライヤ（光電子増倍管）
３４  増幅器
３５  Ａ／Ｄ変換器
３６  バーコードリーダ
３７  出力部
４０  アーカイブ
５０  プリンタ
６０  ＲＩＳ
７０  受付端末
８０  ＨＩＳ
８１  電子カルテＤＢ
９０  受付端末
１１０  処理部
１１１  中央演算装置（ＣＰＵ）
１１１ａ  検査開始要求信号処理部
１１１ｂ  撮影制御部
１１１ｃ  画像処理部
１１１ｄ  出力部
１１２  メモリ
１１３  ハードディスク
１１４  ハードディスク制御部
１１５  ネットワークインタフェース
１１６、１１７  インタフェース
【図１】
2005080693.tif 000003
【図２】
2005080693.tif 000004
【図３】
2005080693.tif 000005
【図４】
2005080693.tif 000006
【図５】
2005080693.tif 000007
【図６】
2005080693.tif 000008